(57)【要約】【課題】暖房手袋による冷凍物の局所解凍を効率的に防ぐ。【解決手段】暖房手袋１は、合成ゴム製の表地２１と裏地２２の間に、金属製の連結部材２５で連結した金属製の放熱板２３を部分的に挿入した多層構造を有しており、放熱板２３の表地２１側にはサーモモジュール２４の一方の面が固着されており、表地２１にはサーモモジュール２４の他方の面が表地２１より露出するように穴が設けられている。そして、この表地２１の穴を覆ってサーモモジュール２４を裏地２２との間に密閉するように金属製の冷却板３が表地２１とサーモモジュール２４に固着されている。そして、サーモモジュール２４に所定方向の電流を通電することにより、手袋の内側を暖房し、手袋の外側で冷凍物と接する冷却板を冷却する。【選択図】図２
2004225177.tif 000002
【特許請求の範囲】
【請求項１】
手袋内側を暖房する暖房手袋であって、
使用者の手を覆う手カバー部と、
前記手カバー部に内設した、ペルチェ効果によって発熱面で発熱し吸熱面で吸熱する、前記発熱面で発熱した熱で手袋内側を暖房し、前記吸熱面による吸熱によって手袋外側の少なくとも一部を冷却する電熱素子とを有することを特徴とする暖房手袋。
【請求項２】
請求項１記載の暖房手袋であって、
前記手カバー部には、前記電熱素子の発熱面に接して設けた、前記発熱面から伝導される熱を手袋内側に拡散する放熱部材の層が少なくとも部分的に設けられていることを特徴とする暖房手袋。
【請求項３】
請求項２記載の暖房手袋であって、
前記放熱部材として、各々が各指の末節を覆うキャップ形状の金属部材と、各々が各指の残りの節を覆う円筒形状の金属部材と、各々が掌を覆う複数の金属部材とを備え、各金属部材は、各々が覆う使用者の手の部分を外部から加わる力から保護することを特徴とする暖房手袋。
【請求項４】
請求項１、２または３記載の暖房手袋であって、
前記電熱素子は、少なくとも手袋外側の各指先腹部分を冷却することを特徴とする暖房手袋。
【請求項５】
請求項１、２、３または４記載の暖房手袋であって、
手袋内側の温度に応じて、前記電熱素子への給電のオン／オフを制御する温度制御部を有することを特徴とする暖房手袋。
【発明の詳細な説明】
【０００１】
【発明の属する技術分野】
本発明は、暖房機能を備えた暖房手袋に関し、特に冷凍物を対象とする作業に好適な暖房手袋に関するものである。
【０００２】
【従来の技術】
従来の暖房機能を備えた暖房手袋としては、電熱線などのヒータを内蔵した手袋等が知られている。
【０００３】
【発明が解決しようとする課題】
従来の暖房手袋を冷凍物を対象とする作業に適用した場合には、以下のような問題が生じることがある。
すなわち、たとえば冷凍マグロなどの切断などの生鮮物の作業に適用した場合には、暖房手袋に内臓されたヒータの熱によって生鮮物の表面が局所的に解凍されてしまうことによって、解凍部分の変色や鮮度の劣化を生じてしまうことがある。
【０００４】
また、一般の冷凍物の作業においても、暖房手袋に内臓されたヒータの熱による冷凍物の局所的な解凍と再凍結によって冷凍物と手袋や冷凍物間の貼り付きなどが生じてしまうことがある。
そこで、本発明は、冷凍物の局所解凍を防ぐことができる効率的な暖房手袋を提供することを課題とする。
【０００５】
【課題を解決するための手段】
前記課題達成のために、本発明は、使用者の手を覆う手カバー部と、前記手カバー部に内設した、ペル  チェ効果によって発熱面で発熱し吸熱面で吸熱する、前記発熱面で発熱した熱で手袋内側を暖房し、前記吸熱面による吸熱によって手袋外側の少なくとも一部を冷却する電熱素子とを備えた暖房手袋を提供する。
【０００６】
このように熱移動を行う電熱素子を手袋内側の暖房に用いることによって、同時に手袋外側の少なくとも一部冷却を行うことが可能となり、この結果、単に暖房手袋使用者の手を暖房するのみならず、暖房手袋との接触による冷凍物の局所解凍をも防止することができるようになる。すなわち、本発明によれば、単一の熱電素子を手袋内部の暖房と手袋外側の冷却の双方に共用する、冷凍物を扱う作業に適した効率的な暖房手袋を提供することができる。
【０００７】
ここで、前記手カバー部には、前記電熱素子の発熱面に接して設けた、前記発熱面から伝導される熱を手袋内側に拡散する放熱部材の層を少なくとも部分的に設けることが、使用者の手の一様な暖房を行う上で好ましい。
また、このように放熱部材を設ける場合には、前記放熱部材として、各々が各指の末節を覆うキャップ形状の金属部材と、各々が各指の残りの節を覆う円筒形状の金属部材と、各々が掌を覆う複数の金属部材とを設けるようにすることも好ましい。
【０００８】
このようにすることにより、放熱部材を、使用者の手の一様暖房と、切削作業時の刃物からの保護等の使用者保護の双方に兼用することができる。すなわち、本発明によれば、このような刃物等からの保護も必要とされる暖房手袋を、効率的な構造によって実現することができる。
また、以上の暖房手袋においては、前記電熱素子は、少なくとも手袋外側の各指先腹部分を冷却するようにするのが良い。このようにすることにより、様々の形態の作業において冷凍物に触れることが多い指先部分による、冷凍物の局所解凍を防ぐことができる。
【０００９】
また、さらに、手袋内側の温度に応じて、前記電熱素子への給電のオン／オフを制御する温度制御部を備えるようにすれば、適当温度の暖房を行うことができ、過度の暖房を行って使用者がやけどや低温やけどを負ってしまうことを防ぐことができるようになる。
【００１０】
【発明の実施の形態】
以下、本発明に係る暖房手袋の一実施形態について説明する。
図１に、本実施形態に係る暖房手袋の外観を示す。
図中ａは手の甲側から見た左手用の暖房手袋のようすを、ｂは掌側か見た左手用の暖房手袋のようすを示している。なお、右手用の暖房手袋は左手用の暖房手袋と左右対称の構成を有している。
図示するように、暖房手袋１は、全体として、表地に合成ゴムを使用した一般的な水廻り作業用の手袋の形状を有している。ただし、手の甲側手首部分に暖房制御ユニット２が取り付けられている。また、五本の指の各指先の腹、第２指から第５指の中節の腹（遠位指節間関節と近位指節間関節の間の節の腹）、手相学で言う金星丘と月丘の１１カ所に、滑り止めのエンボスが形成された金属製の冷却板３が、手袋の表地に固着されている。そして、手袋の手首側端から延びる給電用のケーブル４が、図示を省略した身体装着型のバッテリボックスに連結されている。
【００１１】
ここで、以上の冷却板３の配置は、冷凍マグロの切断、研削作業を想定した配置であり、各冷却板３の位置は、これらの作業時に作業者が冷凍マグロのブロックを持つときに冷凍マグロと暖房手袋１が接する位置となっている。
次に、図２ａに、暖房手袋１の層構造を示す。
図示するように、暖房手袋１は、断熱性の合成ゴム製の表地２１と熱伝導性ある合成ゴムその他の素材による裏地２２との間に、金属製の可撓性ある連結部材２５で連結した金属製の放熱板２３を部分的に挿入した多層構造を有している。そして、放熱板２３の表地２１側には所定の配置でサーモモジュール２４の一方の面が固着されている。また、表地２１にはサーモモジュール２４の他方の面が表地２１より露出するように穴が設けられており、この表地２１の穴を覆ってサーモモジュール２４を裏地２２との間に密閉するように、冷却板３が表地２１とサーモモジュール２４に固着されている。また、放熱板２３の裏側の所定の位置には温度センサ２６が固着されている。
【００１２】
ここで、サーモモジュール２４とは、図３に示すように、交互に配列したＮ型半導体５５とＰ型半導体３４と、これらを順次Ｐ？Ｎ？Ｐ？Ｎ．．．の順に接続する電導体とをシリコン基盤３１間に形成したものである。このようなサーモモジュール２４は、電流を流すことにより電熱素子として働き、Ｎ型半導体３５とＰ型半導体３４との接合部に生じるペルチェ効果により、一方の面から他方の面への熱移動が生じる。また、熱移動の方向は、電流を流す方向によって切り替えることができる。本実施形態では、放熱板２３側を暖房し冷却板３側を冷却するようにサーモモジュール２４に通電することにより、手袋の内側を暖房し、外側の冷却板３部分を冷却する。
【００１３】
ここで、図４に前述した放熱板２３とサーモモジュール２４と温度センサ２６の配置を示す。図中ａは手の甲側から見た左手用の暖房手袋１における配置を、ｂは掌側か見た左手用の暖房手袋１における配置を示している。
図示するように、前述した温度センサ２６は掌の中央部分に配置されている。
また、本実施形態の暖房手袋１では、各指と掌を、それぞれの動きを阻害しないように分割した複数の放熱板２３で覆っている。ここで、各放熱板２３は連結部材２５で隣接する放熱板２３に順次連結されている。より具体的には、図示するように、各指の末節毎に設けた５個のキャップ形状の放熱板２３と、各指の残りの節毎に設けた９個の円筒形状の放熱板２３と、掌を覆う左右に分割した３つの放熱板２３を設けている。
また、図示した例は、以上の構成に加え、手の背側の部分で、表地２１と裏地２２との間に保護用に金属製の３つの保護板４０と、各保護板間または保護板と放熱板２３間を連結する金属メッシュ４１をも、冷凍物の切削作業時における手の背側の保護用に設けている。
【００１４】
さて、各放熱板２３は、サーモモジュール２４から伝導された熱の手袋内側全体への拡散及び放熱の役割と、冷凍物の切削作業時の暖房手袋使用者の手の刃物からの保護の役割を果たしている。また、連結部材２５は、各放熱板２３の間の熱の伝導と、放熱板２３の間の隙間の刃物からの保護の役割を果たしている。なお、図４に示すように保護板４０を設けた場合には、この保護板４０も放熱板２３と同様の機能を奏することになる。
【００１５】
次に、図５に、暖房手袋１の電気的な構成について示す。
図示するように、暖房制御ユニット２は、バッテリボックス５１からの電力の各サーモモジュール２４への供給をオン／オフする各サーモモジュール２４に並列接続された給電スイッチ２０１と、給電制御部２０２とより構成され、給電制御部２０２は、温度センサ２６の検出した温度に応じて、給電スイッチ２０１の動作を制御する。すなわち、給電制御部２０２は、温度センサ２６の検出温度が３６．５度未満の場合にサーモモジュール２４へ給電を行うように給電スイッチ２０１を制御し、温度センサ２６の検出温度がたとえば３６．５度以上の場合にサーモモジュール２４への給電を停止するように給電スイッチ２０１を制御する。そして、このような温度制御により暖房手袋使用者のやけどや低温やけどを防止する。
【００１６】
なお、バッテリボックス５１は、たとえば直列または並列接続した市販乾電池の直流定電圧電力を出力するものであってよい。
以上、本発明の実施形態について説明した。
本実施形態によれば、手袋内側の暖房と手袋外側の冷凍物の接触部の冷却を、サーモモジュール２４を用いることにより効率的に行うことができる。
ところで、以上では暖房手袋１に切削作業における保護の機能をも併せ持たせたが、暖房手袋１が、このような切削作業に適用されたない場合、たとえば、単に冷凍物の運搬などにのみ適用されるものである場合には、暖房手袋１の層構造を、たとえば、図２ｂに示すように構成してもよい。
【００１７】
図２ｂに示した構成では、暖房手袋１を、合成ゴム製の表地２１と熱伝導性ある合成ゴムその他の素材による裏地２２との間に、２つの金属フィルム層６１．６２を配置すると共に、この２つの金属フィルム層６１．６２の間に断熱素材６３と、各面が２つの金属フィルム層６１．６２のそれぞれに接したサーモモジュール２４を配置したものである。このような構成によれば、より軽快な作業性を備えると共に、手袋内側の一様な暖房と、手袋外側の一様な冷却を行うことができる暖房手袋１を得ることができる。
【００１８】
【発明の効果】
以上のように、本発明によれば、冷凍物の局所解凍を防ぐことができる効率的な暖房手袋を提供することができる。
【図面の簡単な説明】
【図１】本発明の実施形態に係る手袋の外観を示す図である。
【図２】本発明の実施形態に係る手袋の層構造を示す図である。
【図３】本発明の実施形態に係るサーモモジュールの構造を示す図である。
【図４】本発明の実施形態に係る放熱板の配置を示す図である。
【図５】本発明の実施形態に係る手袋の電気的構成を示すブロック図である。
【符号の説明】
１…暖房手袋、２…暖房制御ユニット、３…冷却板、４…ケーブル、２１…表地、２２…裏地、２３…放熱板、２４…サーモモジュール、２５…連結部材、２６…温度センサ、４０…保護板、４１…金属メッシュ、５１…バッテリボックス、２０１…給電スイッチ、２０２…給電制御部。
【図１】
2004225177.tif 000003
【図２】
2004225177.tif 000004
【図３】
2004225177.tif 000005
【図４】
2004225177.tif 000006
【図５】
2004225177.tif 000007